(57)【要約】【課題】従来よりも少ないタッチ数で文字を入力し表示することができる文字入力装置、及び文字入力プログラムを提供すること。【解決手段】第一の操作キーと、前記第一の操作キーとは異なる第二の操作キーと、前記第一の操作キー及び前記第二の操作キーとは異なる第三の操作キーと、表示部と、制御部と、を備え、前記制御部は、前記第一の操作キーの操作に応じて、前記表示部に第一の文字を表示させ、前記第二の操作キーの操作に応じて、前記表示部に表示された前記第一の文字を、前記第一の文字と子音が同じで母音が異なる第二の文字に変換して、前記表示部に表示させ、前記第三の操作キーの操作に応じて、前記表示部に表示された前記第二の文字を、前記第二の文字と子音が同じで母音が異なる第三の文字に変換して、前記表示部に表示させる。【選択図】図２
2012247999.tif 000002
【特許請求の範囲】
【請求項１】
第一の操作キーと、前記第一の操作キーとは異なる第二の操作キーと、前記第一の操作キー及び前記第二の操作キーとは異なる第三の操作キーと、
表示部と、
制御部と、を備え、
前記制御部は、
前記第一の操作キーの操作に応じて、前記表示部に第一の文字を表示させ、
前記第二の操作キーの操作に応じて、前記表示部に表示された前記第一の文字を、前記第一の文字と子音が同じで母音が異なる第二の文字に変換して、前記表示部に表示させ、
前記第三の操作キーの操作に応じて、前記表示部に表示された前記第二の文字を、前記第二の文字と子音が同じで母音が異なる第三の文字に変換して、前記表示部に表示させる
ことを特徴とする文字入力装置。
【請求項２】
前記制御部は、前記第一の操作キーが押下されている状態のときにのみ、前記第二の文字または前記第三の文字への変換を実行することを特徴とする請求項１記載の文字入力装置。
【請求項３】
第一の操作キーと、前記第一の操作キーとは異なる第二の操作キーと、前記第一の操作キー及び前記第二の操作キーとは異なる第三の操作キーと、
表示部と、
制御部と、を有する文字入力装置において実行される文字入力プログラムであって、
前記制御部に、
前記第一の操作キーの操作に応じて、前記表示部に第一の文字を表示させ、
前記第二の操作キーの操作に応じて、前記表示部に表示された前記第一の文字を、前記第一の文字と子音が同じで母音が異なる第二の文字に変換して、前記表示部に表示させ、
前記第三の操作キーの操作に応じて、前記表示部に表示された前記第二の文字を、前記第二の文字と子音が同じで母音が異なる第三の文字に変換して、前記表示部に表示させる処理を
実行させることを特徴とする文字入力プログラム。
【発明の詳細な説明】
【技術分野】
【０００１】
本発明は、文字入力装置、及び文字入力プログラムに関する。
【背景技術】
【０００２】
現在、携帯電話システムや無線ＬＡＮ（Local Area Network）などの無線通信システムが広く利用されている。また、このような無線通信システムの分野では、通信速度や通信容量などを更に向上させるべく、次世代の通信技術について活発な議論が行われている。
【０００３】
このような無線通信システムにおいては、携帯電話機ばかりでなく、最近では多機能携帯電話機（又はスマートフォン）、電子書籍用の端末などが用いられ、さまざまがサービスの提供を受けることができるようになってきている。
【０００４】
例えば、ユーザは携帯電話機などから、ひらがなやカタカナ、英文字、数字などの文字を入力することで、メールの宛先やメールの文章、インターネットアドレスなどを入力したり、入力した文字を訂正したりすることができる。これにより、携帯電話機などはメールを送受信したり、インターネットサイトに接続できたり、或いは通話サービスなどのサービスの提供を受けることができる。
【０００５】
このように携帯電話機などはさまざま種類の文字を入力することができ、このようなことから携帯電話機は文字入力装置の一例でもある。次に携帯電話機を例にして文字の入力操作と文字の訂正操作について説明する。図２９は携帯電話機２００の外観構成例を表わす図である。携帯電話機２００は、操作キー２１０〜２４０とディスプレイ２５０とを備える。
【０００６】
操作キー２１０〜２４０のうち、［ＴＶ］ボタン２１０は、例えば、ディスプレイ２５０に表示されたひらがなをカタカナや英数字に変換して表示させるためのボタンである。また、［◎］ボタン２２０は中央部及び上下左右部の押下が可能な構造となっており、例えば、ディスプレイ２５０に表示されたカーソルなどに対して上下左右部のいずれかを押下することで上下左右方向を指示したり、中央部を押下することでディスプレイ２５０に表示された文字を確定することができる。［あ］ボタン２３０は、例えば、ひらがなの「あ」行の文字を入力したり、数字の「１」を入力したりするためのボタンである。［ＣＬＲ］ボタン２４０は、例えば、ディスプレイ２５０に表示された文字を削除するためのボタンである。
【０００７】
携帯電話機などにおいては、文字入力について、例えばかな方式と２タッチ方式の２の入力モードがある。かな方式は、例えば、ひらがなの子音（「あ」〜「わ」）に対応する操作キーが１又は複数回押下されることで、対応する文字が入力される方式である。一方、２タッチ方式は、ひらがなの子音に対応する操作キーが選択された後、母音（「あ」〜「お」）を数字の「１」〜「５」に対応する操作キーが選択されることで、対応する文字が入力される方式である。
【０００８】
以下において、かな方式の場合の文字入力とその訂正方法について説明する。例えば、カタカナ全角文字の「ウ」がディスプレイ２５０に表示されるまでの入力方法は以下のようになる。すなわち、［あ］ボタン２３０が３回押下されるとディスプレイ２５０には「う」が表示される。次いで、［ＴＶ］ボタン２１０が押下されると、変換候補文字（カタカナ全角の「ウ」、カタカナ半角の「ゥ」、全角数字の「１１１」、半角数字の「111」など）がディスプレイ２５０に表示される。次いで、［◎］ボタン２２０の上下部のいずれかが複数回押下されることで、カタカナ全角の「ウ」が選択され、ディスプレイ２５０に「ウ」が表示される。次いで、［◎］ボタン２２０が押下されると「ウ」が確定される。確定後は、例えば、ディスプレイ２５０に表示された文字入力のプロンプトが次文字の位置に移動する。
【０００９】
ここで、ひらがなの小文字の「ぅ」が入力されるよう操作されたが、誤ってカタカナ全角文字の「ウ」がディスプレイ２５０に表示されたときの訂正方法について説明する。最初に「あ」ボタンが３回押下されて「う」がディスプレイ２５０に表示される。次いで［ＴＶ］ボタン２１０が押下されて変換候補文字が表示され、［◎］ボタン２２０の上下部のいずれかが複数回押下されて、変換候補文字の中からカタカナ全角の「ウ」が選択されて、「ウ」がディスプレイ２５０に表示される。ここで操作者が誤りに気付き、ひらがなの小文字の「ぅ」に訂正させる場合は例えば以下のようになる。すなわち、
ステップＳ１）「ウ」が表示されている状態で、［◎］ボタン２２０の中央部が押下されて、一旦「ウ」の表示を確定させる。
【００１０】
ステップＳ２）次いで、［ＣＬＲ］ボタン２４０が押下されて、ディスプレイ２５０に表示された「ウ」がクリアされる。
【００１１】
その後、修正後の文字を入力するため、ステップＳ３）［あ］ボタン２３０が３回押下されて、ディスプレイ２５０に「う」が表示される。
【００１２】
ステップＳ４）次いで、［◎］ボタン２２０の上下部のいずれかが複数回押下されて、ディスプレイ２５０にひらがな小文字の「ぅ」が表示される。
【００１３】
ステップＳ５）次いで、［◎］ボタン２２０が押下されて、ディスプレイ２５０に表示された「ぅ」が確定される。
【先行技術文献】
【非特許文献】
【００１４】
【非特許文献１】「ＦＯＭＡ  ＳＨ７０６ｉｅ  取扱説明書」、ＮＴＴドコモ、２００９年２月
【発明の概要】
【発明が解決しようとする課題】
【００１５】
しかし、上述した技術では、誤って入力されて表示された文字に対して［ＣＬＲ］ボタン２４０が押下されて、入力文字が確定された後、入力文字がクリアされ修正後の文字が入力されるようになっている。文字の訂正に際して、例えば［ＣＬＲ］ボタン２４０が操作されることはその分だけ文字入力が遅くなり、ユーザが種々のサービスを受けるまでに時間がかかってしまう。
【００１６】
そこで、本発明の一目的は、［ＣＬＲ］ボタンによる場合よりも少ないタッチ数で文字を入力し表示することができる文字入力装置、及び文字入力プログラムを提供することにある。
【課題を解決するための手段】
【００１７】
一態様によれば、第一の操作キーと、前記第一の操作キーとは異なる第二の操作キーと、前記第一の操作キー及び前記第二の操作キーとは異なる第三の操作キーと、表示部と、制御部と、を備え、前記制御部は、前記第一の操作キーの操作に応じて、前記表示部に第一の文字を表示させ、前記第二の操作キーの操作に応じて、前記表示部に表示された前記第一の文字を、前記第一の文字と子音が同じで母音が異なる第二の文字に変換して、前記表示部に表示させ、前記第三の操作キーの操作に応じて、前記表示部に表示された前記第二の文字を、前記第二の文字と子音が同じで母音が異なる第三の文字に変換して、前記表示部に表示させる。
【発明の効果】
【００１８】
［ＣＬＲ］ボタンによる場合よりも少ないタッチ数で文字を入力し表示することのできる文字入力装置、及び文字入力プログラムを提供することができる。
【図面の簡単な説明】
【００１９】
【図１】図１は文字入力装置の構成例を表わす図である。
【図２】図２は携帯電話機の外観構成例を表わす図である。
【図３】図３（Ａ）は携帯電話機の構成例、図３（Ｂ）は操作キーの構成例をそれぞれ表わす図である。
【図４】図４はキー配列の例を表わす図である。
【図５】図５（Ａ）は操作手順の例、図５（Ｂ）カナ変換テーブルの例を夫々表わす図である。
【図６】図６（Ａ）は操作手順の例、図６（Ｂ）は数字変換テーブルの例を夫々表わす図である。
【図７】図７（Ａ）は操作手順の例、図７（Ｂ）は英字変換テーブルの例を夫々表わす図である。
【図８】図８（Ａ）は操作手順の例、図８（Ｂ)は濁音変換テーブルの例を夫々表わす図である。
【図９】図９（Ａ）は操作手順の例、図９（Ｂ）は半濁音テーブルの例を夫々表わす図である。
【図１０】図１０（Ａ）は操作手順の例、図１０（Ｂ）は小文字変換テーブルの例を夫々表わす図である。
【図１１】図１１（Ａ）は操作手順の例、図１１（Ｂ）は他文字（カナ）小文字変換テーブルの例を夫々表わす図である。
【図１２】図１２（Ａ）は操作手順、図１２（Ｂ）は他文字（英字）小文字変換テーブルの例を夫々表わす図である。
【図１３】図１３は操作手順の例を表わす図である。
【図１４】図１４は２タッチ変換テーブルの例を表わす図である。
【図１５】図１５（Ａ）〜図１５（Ｆ）は訂正手順の例を表わす図である。
【図１６】図１６（Ａ）〜図１６（Ｇ）は訂正手順の例を表わす図である。
【図１７】図１７は動作例を表わすフローチャートである。
【図１８】図１８は動作例を表わすフローチャートである。
【図１９】図１９（Ａ）〜図１９（Ｄ）は入力方式設定画面の例を夫々表わす図である。
【図２０】図２０は英字（小文字）文字変換テーブルの例を表わす図である。
【図２１】図２１は他文字（漢字／ひらがな）変換テーブルの例を表わす図である。
【図２２】図２２は英字２タッチ文字変換テーブルの例を表わす図である。
【図２３】図２３は携帯電話機１０の構成例を表わす図である。
【図２４】図２４はタッチパネル部の表示例を表わす図である。
【図２５】図２５（Ａ）及び図２５（Ｂ）はタッチパネル部の構成例を表わす図である。
【図２６】図２６は対比テーブルの例を表わす図である。
【図２７】図２７はタッチパネル方式におけるカナ変換テーブルの例を表わす図である。
【図２８】図２８（Ａ）及び図２８（Ｂ）は携帯電話機の構成例を夫々表わす図である。
【図２９】図２９は携帯電話機の外観構成例を表わす図である。
【発明を実施するための形態】
【００２０】
以下、本発明を実施するための形態について説明する。
【００２１】
［第１の実施の形態］
最初に第１の実施の形態について説明する。図１は第１の実施の形態における文字入力装置１００の構成例を表わす図である。文字入力装置１００は、第１〜第３の操作キー１１０〜１３０が適宜操作されることで、対応する文字を表示部１４５に表示させることができる。文字入力装置１００は、第１の操作キー１１０と、第２の操作キー１２０と、第３の操作キー１３０と、制御部１４０、及び表示部１４５を備える。
【００２２】
第１の操作キー１１０と第２の操作キー１２０、及び第３の操作キー１３０は互いに異なる操作キーとなっている。第１の操作キー１１０は、例えば、文字を入力する文字入力キーである。第２の操作キー１２０及び第３の操作キー１３０は、変換機能を実行するための機能キーである。
【００２３】
制御部１４０は、第１の操作キー１１０の操作に応じて、表示部１４５に第１の文字を表示させ、第２の操作キー１２０の操作に応じて、表示部１４５に表示された第１の文字を、第１の文字と子音が同じで母音が異なる第２の文字に変換して表示部１４５に表示させ、第３の操作キー１３０の操作に応じて、表示部１４５に表示された第２の文字を、第２の文字と子音が同じで母音が異なる第３の文字に変換して表示部１４５に表示させる。
【００２４】
［ＣＬＲ］ボタンの操作による場合は、表示された第２の文字に対して［◎］ボタンが押下されて第２の文字を確定させ、次いで［ＣＬＲ］ボタンが押下されて第２の文字をクリアする。そして、訂正後の文字が入力される。第２の文字が表示されてから訂正後の文字を入力するまでに、３回以上のボタン操作が行われる。
【００２５】
一方、本第１の実施の形態においては、制御部１４０は、表示部１４５に表示された第２の文字に対して、第３の操作キー１３０が押下されると、第２の文字と子音が同じで母音が異なる第３の文字に変換して表示部１４５に表示させることができる。
【００２６】
よって、本第１の実施の形態では、例えば、第２の文字が表示されてから第３の文字を入力するまで第３の操作キー１３０による１回の操作である。従って、本文字入力装置１００は、［ＣＬＲ］ボタンによる場合の操作と比較して、少ないタッチ数で文字を入力することができる。
【００２７】
［第２の実施の形態］
＜携帯電話機の構成例＞
次に第２の実施の形態について説明する。第２の実施の形態では、文字入力装置の一例として携帯電話機を例にして説明することにする。図２は携帯電話機１０の外観構成例、図３（Ａ）は携帯電話機１０の内部構成例、図３（Ｂ）は操作キー１５の構成例をそれぞれ表わす図である。
【００２８】
携帯電話機１０は、図２に表わされるように、ディスプレイ（又は表示部）１１と本体部１２、及びヒンジ部１３とを備える。
【００２９】
ディスプレイ１１は、例えば操作キー１５に対応する文字や、あるいはインターネットの閲覧サービスなどによる画像などを表示させることできる。本体部１２は、操作キー１５を備え、操作キー１５の各ボタンが押下されることで、対応する文字をディスプレイ１１に表示させることができる。ヒンジ部１３は、ディスプレイ１１と本体部１２の双方に接続される。このヒンジ部１３により、例えば、ディスプレイ１１は本体部１２に対して回転可能（または開閉可能）となる。
【００３０】
携帯電話機１０は、図３（Ａ）に表わされるように、ディスプレイ１１、操作キー１５、更に、記憶部１７、及び制御部１９とを備える。
【００３１】
制御部１９は、操作キー１５から出力された各ボタンに対応する信号を各ボタンが押下された回数（以下、「タッチ回数」）分入力し、当該信号と当該信号の入力回数（タッチ回数に対応する回数）とに対応する表示文字を記憶部１７から読み出す。そして、制御部１９は読み出した表示文字をディスプレイ１１に出力することで、操作キー１５に対応する文字をディスプレイ１１に表示させることができる。そのため、記憶部１７は、例えば、操作キー１５に対応する信号とタッチ回数とに対応する表示文字を記憶する。これらの処理を実行するためのプログラムは記憶部１７に記憶されており、制御部１９がこれらのプログラムを読み出して実行することにより、以下に説明する各処理を実現するためのプロセスが起動される。なお、これらのプログラムは、必ずしも記憶部１７に記憶されている必要はなく、ＣＤ−ＲＯＭ等の記憶媒体に記憶されたこのプログラムを、携帯電話機１０が読み出して実行するようにしてもよい。また、公衆回線、インターネット、ＬＡＮ（Local Area Network）、ＷＡＮ（Wide Area Network）等を介して携帯電話機１０に接続される他のコンピュータ（またはサーバ）等にこれらのプログラムを記憶させておいてもよい。この場合には、携帯電話機１０がこれらからプログラムを読み出して実行する。
【００３２】
操作キー１５は、図３（Ｂ）に表わされるように、操作ボタン（又はキー）１５１−１，１５２−１，…と、信号記憶部１５１−２，１５２−２，…と、スイッチ１５１−３，１５２−３，…と、端子１５１−４，１５２−４，…とを備える。
【００３３】
例えば、操作ボタン１５２−１が何も操作されていない状態のときは、スイッチ１５２−３は端子１５２−４と接続されていない状態となる。一方、例えば、操作ボタン１５１−１が押下されると、図３（Ｂ）の点線矢印で表わされるように、スイッチ１５１−３が端子１５１−４と接続される。このとき、信号記憶部１５１−２に記憶された操作ボタン１５１−１に対応する信号（例えば“１Ａ”を表わす信号）が制御部１９に出力される。操作ボタン１５１−１が複数回押下されると、操作ボタン１５１−１に対応する信号が複数回制御部１９に出力される。また、操作ボタン１５３−３が押下されたときは、信号記憶部１５３−２に記憶された操作ボタン１５３−３に対応する信号（例えば“２Ｂ”を表わす信号）が制御部１９に出力される。制御部１９は、このように操作ボタン１５１−１，１５２−１，…に対応する信号と入力回数に応じた文字を記憶部１７から読み出してディスプレイ１１に表示させることができる。このとき制御部１９は記憶部１７に記憶されたテーブルから表示文字に対応する変換後の文字を読み出し、ディスプレイ１１に出力する。記憶部１７に記憶されたテーブルの例は後述する。
【００３４】
＜キー配列＞
次に本第２の実施の形態における携帯電話機１０のキー配列の例について説明する。図４は携帯電話機１０におけるキー配列の例を表わす図である。本第２の実施の形態においては、２つの入力モード（かな方式と２タッチ方式）に加え、新しい入力モード（以下、「ワンモード入力」）により文字入力が可能となっている。ワンモード入力では、［カナ］入力、［数字］入力、［英字］入力、［濁音］入力、［半濁音］入力、［小文字］入力、［他文字（カナ）小文字］入力、［他文字（英字）小文字］入力（以下、これらを総称して「入力モード」と称する）用の各キーが新規に割り当てられる。そして、テンキーが押下されて文字が入力された後、入力文字が確定又は次にテンキーが押下されるまでの間、ワンモード入力における「入力モード」に対応するキーが押下されると表示された文字を訂正させることができる。ワンモード入力での入力操作手順や訂正手順の詳細は後述する。
【００３５】
最初にキー配列とその機能について説明する。図４に表わされるように、テンキー１６５は、例えば、文字を入力するためのボタンであり、［あ］ボタンから［わ］ボタンと、［＊］ボタン、及び［＃］ボタンがテンキーとなる。ワンモード入力における「入力モード」に対応するキーは、テンキー１６５と電源ボタン（図４の例ではＫ１４ボタン）以外のキーにその機能を割り当てることにしている。テンキー１６５に対して、例えば［カナ］入力などの機能を割り当てると、文字入力や［カナ］入力によるカナ変換ができなくなる場合もあるからである。
【００３６】
図４の例では、［カナ］入力はＫ１ボタン１５１に割り当てる。［カナ］入力は、例えば、文字の種類をカタカナに変換するための機能であり、図４の例ではＫ１ボタン１５１にその機能が割り当てる。また、入力文字を確定するための［確定］キーをＫ１４ボタン１６４としている。
【００３７】
図５（Ａ）はＫ１ボタン１５１を用いたカタカナ変換の操作手順の例を表わしている。図５（Ａ）を用いてカタカナ変換の例について説明する。初期入力文字として、ひらがなモードとして説明する。これは、日本国内で携帯電話機１０が用いられる場合、一般に日本人は初期入力文字としてひらがなで入力できるようにしていることが他の入力モード（例えば、英字モード）よりも多いからである。なお、初期入力モードが英字モードの例については第３の実施の形態において説明することにする。
【００３８】
図５（Ａ）に表わされるように、［あ］ボタンが３回押下されると、ひらがなの「う」がディスプレイ１１に表示される。次いで、Ｋ１ボタン１５１が押下されると、カタカナの「ウ」（図５（Ａ）の例では半角カタカナ）が表示される。次いで、［確定］キーであるＫ１４ボタン１６４が押下されるか、又はテンキー１６５が押下されると、ディスプレイ１１に表示されたカタカナの「ウ」が確定される。
【００３９】
図５（Ｂ）は記憶部１７に記憶されるカナ変換テーブル１７１の例を表わす図である。制御部１９は、ディスプレイ１１に表示させた表示文字（図５（Ｂ）では「ディスプレイ表示文字」）に対して、Ｋ１ボタン１５１が押下されたことを表わす信号を操作キー１５から入力すると、カナ変換テーブル１７１から、表示文字に対応する変換後の文字を読み出す。そして、制御部１９は、カナ変換テーブル１７１から読み出した変換後の文字をディスプレイ１１に出力する。これにより、ディスプレイ１１にはカナ変換後の文字が表示される。
【００４０】
図４に戻り、［数字］入力は操作キー１５のうち、Ｋ２ボタン１５２に割り当てられる。［数字］入力は、例えば、文字の種類を数字に変換するための機能である。
【００４１】
図６（Ａ）はＫ２ボタン１５２を用いた数字変換の操作手順の例を表わしている。図６（Ａ）において、［さ］ボタンが１回押下されると、ひらがなの「さ」がディスプレイ１１に表示される。次いで、Ｋ２ボタン１５２が押下されると、数字の「3」（図６（Ａ）の例では半角数字）がディスプレイ１１に表示される。次いで、［確定］キーであるＫ１４ボタン１６４が押下されるか、またはテンキー１６５が押下されると数字の「3」が確定される。
【００４２】
図６（Ｂ）は記憶部１７に記憶される数字変換テーブル１７２の例を表わす図である。制御部１９は、ディスプレイ１１に表示された表示文字（図６（Ｂ）では「ディスプレイ表示文字」）に対して、Ｋ２ボタン１５２が押下されたことを表わす信号を入力すると、数字変換テーブル１７２から、表示文字に対応する変換後の文字を読み出す。そして、制御部１９は、数字変換テーブル１７２から読み出した変換後の文字をディスプレイ１１に出力する。これにより、ディスプレイ１１には数字変換後の文字が表示される。
【００４３】
図４に戻り、［英字］入力は操作キー１５のうち、Ｋ３ボタン１５３にその機能が割り当てられる。［英字］入力は、例えば、文字の種類を英字に変換するための機能である。
【００４４】
図７（Ａ）はＫ３ボタン１５３を用いた英字変換の操作手順の例を表わしている。図７（Ａ）において、［か］ボタンが３回押下されると、ひらがなの「く」がディスプレイ１１に表示される。次いで、Ｋ３ボタン１５３が押下されると、英字の「C」（図７（Ａ）の例では半角大文字）がディスプレイ１１に表示される。次いで、［確定］キーであるＫ１４ボタン１６４、またはテンキー１６５が押下されると英字の「C」が確定される。
【００４５】
図７（Ｂ）は記憶部１７に記憶される英字変換テーブル１７３の例を表わす図である。制御部１９は、ディスプレイ１１に表示された表示文字（図７（Ｂ）では「ディスプレイ表示文字」）に対してＫ３ボタン１５３が押下されたことを表わす信号を入力すると、英字変換テーブル１７３から表示文字に対応する変換後の文字を読み出す。そして、制御部１９は、英字変換テーブル１７３から読み出した変換後の文字をディスプレイ１１に出力する。これにより、ディスプレイ１１には英字変換後の文字が表示される。
【００４６】
なお、英字変換において、［あ］ボタン又は［わ］ボタンが押下されて、次いで、Ｋ３ボタン１５３が押下されても、制御部１９は英字変換処理を行わない。この場合、ディスプレイ１１には、Ｋ３ボタン１５３が押下されても、表示された「あ」行の文字、又は「わ」行の文字がそのまま表示される。
【００４７】
図４に戻り、［濁音］入力は操作キー１５のうち、Ｋ４ボタン１５４にその機能が割り当てられる。［濁音］入力は、例えば、文字の種類を濁音に変換するための機能である。
【００４８】
図８（Ａ）はＫ４ボタン１５４を用いた濁音変換の操作手順の例を表わしている。図８（Ａ）に表わされるように、［は］ボタンが３回押下されると、ひらがなの「ふ」がディスプレイ１１に表示される。次いで、Ｋ１４ボタン１６４が押下されると、濁音の「ぶ」がディスプレイ１１に表示される。次いで、［確定］キーであるＫ１４ボタン１６４、またはテンキー１６５が押下されると濁音の「ぶ」が確定される。
【００４９】
図８（Ｂ）は記憶部１７に記憶される濁音変換テーブル１７４の例を表わす図である。制御部１９は、ディスプレイ１１に表示された表示文字（図８（Ｂ）では「ディスプレイ表示文字」）に対してＫ１４ボタン１６４が押下されたことを表わす信号を入力すると、濁音変換テーブル１７４から表示文字に対応する変換後の文字を読み出す。そして、制御部１９は、濁音変換テーブル１７４から読み出した変換後の文字をディスプレイ１１に出力する。これにより、ディスプレイ１１には濁音変換後の文字が表示される。
【００５０】
なお、濁音変換において、［あ］ボタン、［な］ボタン、［ま］ボタン、［や］ボタン、［ら］ボタン、［わ］ボタンのいずれかが押下され、次いで、Ｋ１４ボタン１６４が押下されても、制御部１９は濁音への変換処理を行わない。この場合、ディスプレイ１１には、表示された「あ」行の文字、「な」行の文字、「ま」行の文字、「や」行の文字、「ら」行の文字、「わ」行の文字が表示された状態のまま変換されない。
【００５１】
図４に戻り、［半濁音］入力は操作キー１５のうちＫ５ボタン１５５にその機能が割り当てられる。［半濁音］入力は、例えば、文字に種類を半濁音に変換するための機能である。
【００５２】
図９（Ａ）はＫ５ボタン１５５を用いた半濁音変換の操作手順の例を表わしている。図９（Ａ）において、［は］ボタンが３回押下されると、ひらがなの「ふ」がディスプレイ１１に表示される。次いで、Ｋ５ボタン１５５が押下されると、半濁音の「ぷ」がディスプレイ１１に表示される。次いで、［確定］キーであるＫ１４ボタン１６４、またはテンキー１６５が押下されると半濁音の「ぷ」が確定される。
【００５３】
図９（Ｂ）は記憶部１７に記憶される半濁音変換テーブル１７５の例を表わす図である。制御部１９は、ディスプレイ１１に表示された表示文字（図９（Ｂ）では「ディスプレイ表示文字」）に対してＫ５ボタン１５５が押下されたことを表わす信号を入力すると、半濁音変換テーブル１７５から表示文字に対応する変換後の文字を読み出す。そして、制御部１９は、半濁音変換テーブル１７５から読み出した変換後の文字をディスプレイ１１に出力する。これにより、ディスプレイ１１には半濁音変換後の文字が表示される。
【００５４】
なお、半濁音変換において、［は］ボタン以外のテンキー１６５が押下され、その後Ｋ５ボタン１５５が押下されても、制御部１９は半濁音変換処理を行わない。この場合、ディスプレイ１１には、［は］ボタン以外のテンキー１６５により表示された文字がそのまま表示された状態となる。
【００５５】
図４に戻り、［小文字］入力は操作キー１５のうちＫ６ボタン１５６にその機能が割り当てられる。［小文字］入力は、例えば、文字の種類をひらがなの小文字に変換するための機能である。
【００５６】
図１０（Ａ）はＫ６ボタン１５６を用いた小文字変換の操作手順の例を表わしている。図１０（Ａ）において、［あ］ボタンが３回押下されると、ひらがなの「う」がディスプレイ１１に表示される。次いで、Ｋ６ボタン１５６が押下されると、ひらがなの小文字である「ぅ」がディスプレイ１１に表示される。次いで、Ｋ１４ボタン１６４、またはテンキー１６５が押下されると小文字の「ぅ」が確定される。
【００５７】
図１０（Ｂ）は記憶部１７に記憶される小文字変換テーブル１７６の例を表わす図である。制御部１９は、ディスプレイ１１に表示された表示文字（図１０（Ｂ）では「ティスプレイ表示文字」）に対してＫ６ボタン１５６が押下されたことを表わす信号を入力すると、小文字変換テーブル１７６から表示文字に対応する変換後の文字を読み出す。そして、制御部１９は、小文字変換テーブル１７６から読み出した変換後の文字をディスプレイ１１に出力する。これにより、ディスプレイ１１には小文字変換後の文字が表示される。
【００５８】
なお、小文字変換において、［か］ボタン、［さ］ボタン、［た］ボタン、［な］ボタン、［は］ボタン、［ま］ボタン、［ら］ボタンを押下、その後Ｋ６ボタン１５６が押下されても、制御部１９は小文字変換処理を行わない。または、ディスプレイ１１に表示された文字が「を」または「ん」であり、次いで、Ｋ６ボタン１５６が押下されても、小文字変換処理を行わない。あるいは、ディスプレイ１１に表示された文字が「つ」以外の「た」行の文字であり、次いで、Ｋ６ボタン１５６が押下されても制御部１９は小文字変換処理を行わない。
【００５９】
この場合、［か］ボタン、［さ］ボタン、［た］ボタン、［な］ボタン、［は］ボタン、［ま］ボタン、［ら］ボタンによるそれぞれの表示、または、「を」或いは「ん」の夫々の表示、或いは「つ」以外の「た」行の表示は変換されずそのまま表示された状態となる。
【００６０】
図４に戻り、［他文字小文字（カナ）］入力は、操作キー１５のうちＫ７ボタン１５７にその機能が割り当てられる。［他言語小文字（カナ）］入力は、例えば、文字の種類をカタカナの小文字に変換するための機能である。
【００６１】
図１１（Ａ）はＫ７ボタン１５７を用いたカタカナの小文字に変換する操作手順の例を表わしている。図１１（Ａ）において、［あ］ボタンが３回押下されて、次いで、Ｋ７ボタン１５７が押下されると、カタカナの小文字である「ゥ」がディスプレイ１１に表示される。次いで、Ｋ１４ボタン１６４またはテンキー１６５が押下されるとカタカナの小文字である「ゥ」が確定される。
【００６２】
図１１（Ｂ）は記憶部１７に記憶される他文字（カナ）小文字変換テーブル１７７の例を表わす図である。制御部１９は、ディスプレイ１１に表示された表示文字（図１１（Ｂ）では「ディスプレイ表示文字」）に対してＫ７ボタン１５７が押下されたことを表わす信号を入力すると、他文字（カナ）小文字変換テーブル１７７から表示文字に対応する変換後の文字を読み出す。そして、制御部１９は他文字（カナ）小文字変換テーブル１７７から読み出した変換後の文字をディスプレイ１１に出力することで、ディスプレイ１１には変換後のカタカナの小文字が表示される。
【００６３】
なお、［か］ボタン、［さ］ボタン、［た］ボタン、［な］ボタン、［は］ボタン、［ま］ボタン、［ら］ボタン、［わ］ボタンがそれぞれ押下され、次いで、Ｋ７ボタン１５７が押下されても、制御部１９はカタカナの小文字への変換処理を行わない。または、ディスプレイ１１に表示された文字が「を」または「ん」であり、次いで、Ｋ６ボタン１５６が押下されても、小文字変換処理を行わない。あるいは、ディスプレイ１１に表示された文字が「つ」以外の「た」行の文字であり、次いで、Ｋ６ボタン１５６が押下されても制御部１９は小文字変換処理を行わない。
【００６４】
この場合、［か］ボタン、［さ］ボタン、［た］ボタン、［な］ボタン、［は］ボタン、［ま］ボタン、［ら］ボタンによるそれぞれの表示、または、「を」或いは「ん」の夫々の表示、或いは「つ」以外の「た」行の表示は変換されずそのまま表示された状態となる。
【００６５】
図４に戻り、［他文字（英字）小文字］入力は、操作キー１５のうちＫ８ボタン１５８にその機能が割り当てられる。［他文字（英字）小文字］入力は、例えば、文字の種類を英字の小文字に変換するための機能である。
【００６６】
図１２（Ａ）はＫ８ボタン１５８を用いた英字の小文字に変換する操作手順の例を表わしている。図１２（Ａ）において、［か］ボタンが３回押下されて、次いで、Ｋ８ボタン１５８が押下されると、英字の小文字である「c」が表示される。次いで、Ｋ１４ボタン１６４、またはテンキー１６５が押下されると英字の小文字である「c」が確定される。
【００６７】
図１２（Ｂ）は記憶部１７に記憶される他文字（英字）小文字変換テーブル１７８の例を表わす図である。制御部１９は、ディスプレイ１１に表示された表示文字（図１２（Ｂ）では「ディスプレイ表示文字」）に対してＫ８ボタン１５８が押下されたことを表わす信号を入力すると、他文字（英字）小文字変換テーブル１７８から表示文字に対応する変換後の文字を読み出す。そして、制御部１９は他文字（英字）小文字変換テーブル１７８から読み出した変換後の文字をディスプレイ１１に出力することで、ディスプレイ１１には変換後の英字の小文字が表示される。
【００６８】
図４に戻り、本第２の実施の形態では、更に、テンキー１６５や、「入力モード」用のキー（Ｋ１ボタン１５１〜Ｋ８ボタン１５８）、及び電源キー以外のキーに対して、母音を意味するキーが新規に割り当てられる。母音を意味するキーによる操作については、例えば、文字が入力されるまでのタッチ数をワンモード入力における「入力モード」よりも少なくさせることができる。
【００６９】
本第２の実施の形態では、図４に表わされるように、Ｋ９ボタン１５９に対して母音の「あ」を意味するキーが割り当てられる。また、Ｋ１０ボタン１６０には母音の「い」を意味するキー、Ｋ１１ボタン１６１には母音の「う」を意味するキー、Ｋ１２ボタン１６２には母音の「え」を意味するキー、そして、Ｋ１３ボタン１６３には母音の「お」を意味するキーがそれぞれ割り当てられる。本ワンモード入力において、母音を意味するキーにより文字を入力することを、ワンモード入力による２タッチ入力と適宜称することにする。
【００７０】
図１３はワンモード入力による２タッチ入力の操作手順の例を表わす図である。例えば、初期入力文字がひらがな入力において、カタカナの「ウ」を表示させる場合は以下のようになる。すなわち、［あ］ボタンが１回押下されると、ひらがなの「あ」がディスプレイ１１に表示される。次いで、母音の「う」を意味するキーとして割り当てられたＫ１１ボタン１６１が押下されると、「う」が表示される。次いで、［カナ］入力として割り当てられたＫ１ボタン１５１が押下されると、カタカナの「ウ」がディスプレイ１１に表示される。同じカタカナの「ウ」を表示させるため、ワンモード入力における「入力モード」キーによる操作（例えば図５（Ａ））では例えば５回の操作が行われる。一方、ワンモード入力における「２タッチ入力」の場合、４回の操作が行われ、ワンモード入力における「入力モード」の場合よりも、少ないタッチ数で文字が入力され、ディスプレイ１１に表示させることができる。  
【００７１】
これは、例えば、ワンモード入力における「入力モード」の場合、ひらがなの「う」を表示させるためには、［あ］ボタンが３回押下されることになる。一方、ワンモード入力における「２タッチ入力」の場合、［あ］ボタンが１回押下され、Ｋ１１ボタン１６１が１回押下され合計２回押下されることでひらがなの「う」が表示され、例えば、母音を意味するキーの１回の操作で文字を表示させることができるからである。
【００７２】
図１４は記憶部１７に記憶されるワンモード入力による２タッチ入力の変換テーブル（以下、「２タッチ変換テーブル」）１７９の例を表わす図である。例えば、制御部１９は、［た］ボタンが押下され、次いで、Ｋ１１ボタン１６１が押下されたこと表わす信号をそれぞれ入力したとき、２タッチ変換テーブル１７９から、ひらがなの「つ」を読み出し、ディスプレイ１１に表示させることができる。
【００７３】
また、例えば、ディスプレイ１１に「た」が表示されている状態で、Ｋ１０ボタン１６０が押下されると、制御部１９は２タッチ変換テーブル１７９から、表示された子音「た」の母音「い」に対応する「ち」を読み出して表示させることもできる。２タッチ変換テーブル１７９において、例えば、［あ］ボタンと記載されているのは、ディスプレイ１１では、「あ」行の文字が表示され、［か］ボタンと記載されているのは、ディスプレイ１１では「か」行の文字が表示されている場合とすることもできる。
【００７４】
このように、制御部１９は、例えば、ディスプレイ１１に表示された子音（２タッチ変換テーブル１７９における「１〜０のボタン箇所」に対応するテンキー）に対して、操作された母音を意味するキー（母音ボタンに対応する母音）に対応する文字を２タッチ変換テーブル１７９から読み出すことができる。そして、制御部１９は、読み出した文字をディスプレイ１１に出力し、表示させることができる。
【００７５】
なお、ワンモード入力による２タッチ入力の場合、［わ］ボタンが押下され、次いで、Ｋ１２ボタン１６２やＫ１３ボタン１６３が押下されても、制御部１９は変換処理を行わず、ディスプレイ１１には「わ」が表示されたままの状態となる。また、［や］ボタンが押下され、次いで、Ｋ１０ボタン１６０やＫ１１ボタン１６１が押下されても、制御部１９は変換処理を行わず、ディスプレイ１１には「や」が表示されたままの状態となる。
【００７６】
＜訂正手順の例＞
次に、携帯電話機１０による文字の訂正手順の例について説明する。図１５（Ａ）〜図１５（Ｆ）は同じ母音の文字に訂正する場合の例であり、例えば、カタカナの小文字の「ゥ」をひらがなの小文字である「ぅ」に訂正する場合の操作手順の例を表わしている。また、図１６（Ａ）〜図１６（Ｇ）は異なる母音の文字に訂正する場合の例であり、例えば、ひらがなの「う」をひらがなの小文字である「ぉ」に訂正する場合の操作手順の例を表わしている。同じ母音に訂正する場合は、ワンモード入力の「入力モード」による操作で訂正させることができ、異なる母音に訂正する場合はワンモード入力の「２タッチ入力」の操作で訂正させることができる。同じ母音に訂正するか、異なる母音に訂正するかにより操作手順が異なるため、別々の操作手順の例を表わしている。
【００７７】
表示文字が同じ母音の文字に訂正される場合の例は、例えば、以下のようになる。すなわち、ディスプレイ１１に表示された入力画面において（例えば図１５（Ａ））、［あ］ボタンが押下されると、ディスプレイ１１にはひらがなの「あ」が表示される（例えば図１５（Ｂ））。
【００７８】
次いで、ワンモード入力の２タッチ入力による操作キー（以下、「Ｆｎ−１キー（またはファンクション−１キー）」と称す）でＫ１１ボタン１６１が押下されると、Ｋ１１ボタン１６１は母音の「う」を意味するキーのため、ひらがなの「う」が表示される（例えば図１５（Ｃ））。
【００７９】
次いで、ワンモード入力の「入力モード」に対応する操作キー（以下、「Ｆｎ−２キー（またはファンクション−２キー）」と称す）でＫ７ボタン１５７が押下されると、Ｋ７ボタン１５７はカタカナの小文字への変換キーのため、カタカナの小文字の「ゥ」がディスプレイ１１に表示される（例えば図１５（Ｄ））。
【００８０】
なお、ディスプレイ１１へのカタカナの小文字の「ゥ」の表示については、ワンモード入力における「２タッチ入力」ではなく「入力モード」により表示させることもできる。例えば、入力画面において［あ］ボタンが３回押下されて、次いで、Ｋ７ボタン１５７が押下されると、カタカナの小文字の「ゥ」が表示される。ワンモード入力の２タッチ入力は、図１５（Ａ）から図１５（Ｄ）に表わされるように３回のタッチ数で表示される。一方、ワンモード入力の２タッチ入力が用いられない場合、４回のタッチ数で表示させることができ、前者の方が後者よりも少ないタッチ数で文字を表示させることができる。
【００８１】
カタカナの小文字である「ゥ」がディスプレイ１１に表示され、この時点でユーザは間違いに気付いたとする。小文字のひらがなの「ぅ」に訂正させる場合、Ｆｎ−２キーの［小文字］入力キーに対応するキー（例えばＫ６ボタン１５６）が押下される。これにより、カタカナの小文字である「ゥ」がひらがなの小文字である「ぅ」に訂正されて、ディスプレイ１１に表示される（例えば図１５（Ｅ））。この場合でも、制御部１９は、例えば、Ｆｎ−２キーに対応する信号を入力すると、当該信号に対応するテーブル１７１〜１７８から、ディスプレイ１１に表示された文字に対応する変換後の文字を読み出し、ディスプレイ１１に出力することで訂正後の文字が表示される。
【００８２】
次いで、［確定］キー（例えばＫ１４キー１６４、以下「Ｆｎ−３（ファンクション−３）キー」と称す）またはテンキー１６５が押下されて、表示されたひらがなの小文字である「ぅ」が確定される（例えば図１５（Ｆ））。
【００８３】
［ＣＬＲ］ボタン１６６による訂正手順では、カタカナの小文字である「ゥ」が表示された（例えば図１５（Ｄ））後、［ＣＬＲ］ボタン１６６が１回押下されて「ゥ」が確定され、次いで、［ＣＬＲ］ボタン１６６が１回押下されて表示された「ゥ」をクリアした後、訂正文字が入力される。訂正文字の入力までのタッチ数は、最初の［ＣＬＲ］ボタン１６６による確定操作と、次の［ＣＬＲ］ボタン１６６による文字クリア操作の２回である。一方、本第２の実施の形態における訂正文字入力までのタッチ数は、Ｆｎ−２キーによる操作の１回である。
【００８４】
このように、母音が同じ文字の訂正に際して、本第２の実施の形態におけるタッチ数は、［ＣＬＲ］ボタン１６６による操作手順と比較して、少ないタッチ数で文字が入力され表示させることができる。
【００８５】
次に母音が異なる場合の文字の訂正手順について説明する。カタカナの小文字である「ゥ」がディスプレイ１１に表示されるまでの操作手順は、母音が同じ場合と同様である（図１６（Ａ）〜図１６（Ｄ））。カタカナの小文字である「ゥ」が表示された時点でユーザは間違いに気付き、ひらがなの小文字の「ぉ」に訂正させる場合は例えば以下のようになる。すなわち、Ｆｎ−１キーにおける母音の「お」に変換させるキー（例えばＫ１３ボタン１６３）が押下され、カタカナの小文字である「ゥ」がひらがなの「お」に訂正されて、ディスプレイ１１に表示される。
【００８６】
このディスプレイ１１への訂正された文字の表示について以下説明する。
【００８７】
制御部１９は、例えば、表示された文字がＦｎ−２キーにより表示された文字の場合、Ｆｎ−１キーが押下されたことを表わす信号を入力すると、各テーブル１７１〜１７８の「変換後の文字」（この文字が表示されている）から対応する「ディスプレイ表示文字」を読み出す。そして、制御部１９は、「ディスプレイ表示文字」に対応する文字を２タッチ変換テーブル１７９において探索し、同一の子音においてＦｎ−１キーに対応する母音に対応する文字を読み出す。制御部１９は２タッチ変換テーブル１７９から読み出した文字を訂正後の文字としてディスプレイ１１に表示させることができる。
【００８８】
例えば、Ｆｎ−２キーにより「3」が表示されているとき、制御部１９は、数字変換テーブル１７２から「変換後の文字」である「3」に対応するディスプレイ表示文字である「さ」を読み出す。そして、制御部１９は、２タッチ変換テーブル１７９から「さ」を探索し、Ｆｎ−１キーとして母音の「え」を意味するキー（例えばＫ１２ボタン１６２）が押下されたときは、同じ子音の「さ」における母音「え」に対応する「せ」を２タッチ変換テーブル１７９から読み出し、ディスプレイ１１に表示させる。
【００８９】
例えば、Ｆｎ−２キーにより小文字の「ぇ」が表示されているとき、母音の「お」を意味するキー（例えばＫ１３ボタン１６３）が押下されると、制御部１９は、小文字変換テーブル１７６の変換後の文字「ぇ」に対応するディスプレイ表示文字「え」を読み出す。そして、制御部１９は、２タッチ変換テーブル１７９から子音「あ」における母音の「お」に対応する「お」を読み出してディスプレイ１１に表示させる。  
【００９０】
他方、制御部１９は、例えば、表示された文字がＦｎ−２キーによる表示されたものではなく、初期入力文字であるひらがな文字が表示されている場合、２タッチ変換テーブル１７９から対応するひらがな文字を探索する。そして、制御部１９は、探索したひらがな文字と同一の子音において、押下されたＦｎ−１キーに対応する母音に対応する文字を２タッチ変換テーブル１７９から読み出す。制御部１９は読み出した文字をディスプレイ１１に表示させることで訂正された文字が表示される。
【００９１】
例えば、ひらがなの「く」が表示されているとき、母音の「え」を意味するキー（例えばＫ１２ボタン１６２）が押下されると、制御部１９は２タッチ変換テーブル１７９から、同一子音の対応する母音の「け」を読み出してディスプレイ１１に表示させることができる。
【００９２】
以上により、Ｆｎ−１キーによる文字の訂正とディスプレイ１１への表示が行われる。例えば、図１６（Ｄ）に示されるように、カタカナの小文字である「ゥ」が表示されたときに、母音の「お」を意味するＦｎ−１キー（例えばＫ１３ボタン１６３）が押下されると、ひらがなの「お」が表示される。
【００９３】
次いで、Ｆｎ−２キーの小文字変換キーであるＫ６ボタン１５６が押下されると、ひらがなの「お」がひらがなの小文字の「ぉ」に変換されてディスプレイ１１に表示される（例えば図１６（Ｆ））。
【００９４】
次いで、Ｆｎ−３キーまたはテンキー１６５が押下されて、表示された小文字の「ぉ」が確定される（例えば図１６（Ｇ））。
【００９５】
母音が異なる場合でも、誤った文字が表示された後、訂正文字が入力されるまでのタッチ数は、Ｆｎ−１キーの操作による１回だけである（例えば図１６（Ｄ））。一方、従来の操作手順では、最初の［ＣＬＲ］ボタン１６６による操作で間違った文字が確定された後、次の［ＣＬＲ］ボタン１６６による操作で文字がクリアされるまでの２回である。よって、母音が異なる場合でも、本第２の実施の形態では、［ＣＬＲ］ボタン１６６による場合よりも少ないタッチ数で文字を入力し表示させることができる。
【００９６】
なお、上述した訂正手順は一例である。例えば、テンキー１６５やＦｎ−１キー、Ｆｎ−２キーにより入力されてディスプレイ１１に表示された文字が本来表示される文字とは異なる場合、本第２の実施の形態では、誤って表示された文字に対して、Ｆｎ−１キーまたはＦｎ−２キーが押下される。誤って表示された文字に対して、Ｆｎ−１キーまたはＦｎ−２キーが押下されることで、制御部１９は、表示文字の母音が変換された文字又は「入力モード」が変換された文字をディスプレイ１１に表示させることができる。「入力モード」が変換された文字は、例えば本来表示すべき文字である（例えば図１５（Ａ）〜図１５（Ｆ））。また、表示文字の母音が変換された文字は、例えば本来表示すべき文字の場合もあるし、本来表示すべき文字でない場合はさらにＦｎ−２キーの押下により「入力モード」が変更されることで本来表示すべき文字となる場合もある（例えば図１６（Ａ）〜図１６（Ｇ））。
【００９７】
［動作例］
次に動作例について図１７のフローチャートの例で説明する。上述した例と重複した説明となる部分についても簡単に説明することにする。図１７のフローチャートは、例えば制御部１９で主に行われる処理である。
【００９８】
携帯電話機１０は、処理を開始すると（Ｓ１０）、操作キー１５の入力を待ち（Ｓ１１）、次いでテンキー１６５が入力された否かを判別する（Ｓ１２）。テンキー１６５が入力されたか否かは、例えば制御部１９が操作キー１５から入力された信号がテンキー１６５に対応するボタン（例えば［あ］ボタンなど）に対応する信号であればテンキー１６５が入力されたと判別し、そうでなければテンキー１６５が入力されないと判別できる。そのため、制御部１９は、操作キー１５の各ボタンに対応する信号の情報を保持することができる。
【００９９】
テンキー１６５が入力されたとき（Ｓ１２でＹｅｓ）、制御部１９はテンキー１６５により押下された文字をディスプレイ１１に表示させる（Ｓ１３）。例えば、制御部１９はテンキー１６５の各ボタンに対応する信号を操作キー１５から入力すると、当該信号に対応する文字を記憶部１７から読み出し、読み出した文字をディスプレイ１１に出力することで、テンキー１６５により押下された文字を表示させる。
【０１００】
次いで、制御部１９は、入力モードがワンモード入力か否かを判別する（Ｓ１４）。ワンモード入力は、例えば本処理が開始される前において設定されるものである。図１９（Ａ）〜図１９（Ｄ）は入力方式設定画面の例をそれぞれ表わしている。入力方式設定画面は、かな入力方式と２タッチ入力方式、さらに本第２の実施の形態で説明したワンモード入力方式の３つの方式が選択可能となっている。入力方式設定画面は、操作キー１５が適宜押下されてディスプレイ１１に表示させることができる。例えば、かな入力方式が設定されているときに（例えば図１９（Ａ））、Ｋ６ボタン１５６が押下されると、入力方式のプルダウンメニューが表示される（例えば図１９（Ｂ））。そして、Ｋ２ボタン１５２又はＫ４ボタン１５４が押下されることで入力方式が選択され（例えば、図１９（Ｃ））、Ｋ６ボタン１５６などが押下されて選択された入力方式が決定する（例えば図１９（Ｄ））。制御部１９は、例えば、押下されたボタンに応じてどの入力方式が選択されたかを表わすフラグ情報を記憶部１７に保持する。フラグ情報は、例えば、かな入力方式が選択されたときはＦｌａｇ＝１、２タッチ入力方式が選択されたときはＦｌａｇ＝２、ワンモード入力が選択されたときはＦｌａｇ＝３となる。制御部１９は、例えば、Ｆｌａg＝３のとき、記憶部１９に記憶される各テーブル１７１〜１７９にアクセスして表示文字を読み出すなどの処理を行い、上述したワンモード入力による処理を行う。また、制御部１９は、例えば、Ｆｌａｇ＝１または２のときは、記憶部１９に記憶された各テーブル１７１〜１７９以外のテーブルにアクセスして表示文字を読み出すなどの処理を行い、かな入力方式や２タッチ方式による処理を行う。  
【０１０１】
入力モードがワンモード入力か否かは（Ｓ１４）、例えば、制御部１９が記憶部１７に記憶されたフラグ情報を読み出し、ワンモード入力に対応するフラグ情報が記憶されているとき、ワンモード入力であると判別し、そうでないときワンモード入力でないと判別できる。
【０１０２】
図１７に戻り、入力モードがワンモード入力のとき（Ｓ１４でＹｅｓ）、制御部１９は操作キー１５の入力待ちの状態となり（Ｓ１５）、操作キー１５の各ボタンに対応する信号を入力すると次処理へ移行し、テンキー１６５が入力されたか否かを判別する（Ｓ１６）。
【０１０３】
ここでテンキー１６５が入力された否かを判別しているのは、すでにディスプレイ１１に表示された文字が確定されるか否かを判別するためである。例えば、図５（Ａ）の例において、表示文字を確定させるとき、［確定］キー以外に、テンキー１６５入力により確定させるようにしたが、本処理（Ｓ１６）ではこの文字確定のためのテンキー１６５が押下されたか否かを判別している。
【０１０４】
例えば、制御部１９は、テンキー１６５の各ボタンに対応する信号を入力したときテンキー１６５が入力されたと判別し、当該信号を入力しないときテンキー１６５が入力されていないと判別できる。
【０１０５】
テンキー１６５が入力されたとき（Ｓ１６でＹｅｓ）、制御部１９は表示文字を確定させる（Ｓ１７）。確定させる表示文字は、例えば、Ｓ１２の処理により入力された文字か、直前のループ（Ｓ１６でＹｅｓからＳ１７、Ｓ１８を経由してＳ１５に移行するループ）におけるＳ１６で入力された文字である。制御部１９は、例えば、テンキー１６５の各ボタンに対応する信号を入力したとき、ディスプレイ１１に表示されたプロンプトを次文字に移動させたり、ディスプレイ１１に表示された白黒反転された文字を白背景の黒文字に変換するなどすることで、表示文字が確定されたことを表わす表示を行う。
【０１０６】
次いで、制御部１９は、押下された文字をティスプレイ１１に表示させる（Ｓ１８）。この場合の表示させる文字は、例えば、同一ループ内のテンキー１６５入力（Ｓ１６でＹｅｓ）により入力された文字である。制御部１９は、例えば、記憶部１７に記憶されたテーブルから、入力されたテンキー１６５のボタンに対応する表示文字を読み出して表示させる。そして、処理はＳ１５の処理に移行する。
【０１０７】
一方、テンキー１６５が入力されないとき（Ｓ１６でＮｏ）、制御部１９はＦｎ−３キーが押下されたか否かを判別する（Ｓ１９）。制御部１９は、例えば、［確定］キーが入力されたか否かを判別することで、テンキー１６５入力（Ｓ１２またはＳ１６でＹｅｓ）により表示された文字を確定させるか否かを判別している。制御部１９は、例えば、［確定］キー（例えばＫ１４ボタン１６４）に対応する信号を入力したとき、Ｆｎ−３キーが押下されたと判別し、当該信号を入力しないとき、Ｆｎ−３キーが押下されないと判別できる。
【０１０８】
Ｆｎ−３キーが押下されたとき（Ｓ１９でＹｅｓ）、制御部１９は表示文字を確定させる（Ｓ２４）。確定させる文字は、例えば、テンキー１６５入力（例えばＳ１２またはＳ１６でＹｅｓ）により入力され、表示された文字である。制御部１９は、例えば、プロンプトを次文字に移動させたり、白黒反転された文字を白背景の黒文字に変換するなどすることで、表示文字を確定させる。次いで、処理はＳ１１に移行し、制御部１９は上述した処理を繰り返す。
【０１０９】
一方、Ｆｎ−３キーが押下されないとき（Ｓ１９でＮｏ）、制御部１９はＦｎ−１キーが押下されたか否かを判別する（Ｓ２０）。制御部１９は、本処理により、例えばワンモード入力における２タッチ入力に対応する操作キー（例えば、Ｋ９ボタン１５９〜Ｋ１３ボタン１６３）が押下されたか否かを判別することで、表示文字に対して母音の変換または訂正が行われた否かを判別している（例えば、図１３、図１５（Ａ）〜図１５（Ｂ）、図１６（Ｄ）〜図１６（Ｅ））。制御部１９は、Ｆｎ−１キー（例えば、Ｋ９ボタン１５９〜Ｓ１３ボタン１６３）の各ボタンに対応する信号が入力されたときは、Ｆｎ−１キーが押下されたと判別し、当該信号が入力されないときはＦｎ−１が押下されないと判別する。
【０１１０】
Ｆｎ−１キーが押下されたとき（Ｓ２０でＹｅｓ）、表示文字に対応する変換後の文字をＦｎ−１キーに割り当てられた対象の２タッチ変換テーブル１７９から読み出して、ディスプレイ１１に表示させる（Ｓ２１）。制御部１９は、例えば、２タッチ変換テーブル１７９から対応する文字を読み出してディスプレイ１１に表示させることで本処理が行われる。
【０１１１】
一方、Ｆｎ−１キーが押下されないとき（Ｓ２０でＮｏ）、制御部１９はＳ２１の処理を行うことなくＳ２２の処理を行う。
【０１１２】
制御部１９は、Ｆｎ−１キーが押下されないか（Ｓ２０でＮｏ）、又はＦｎ−１キーの押下によりディスプレイ１１への表示が終了すると（Ｓ２１）、Ｆｎ−２キーが押下されたか否かを判別する（Ｓ２２）。制御部１９は、Ｆｎ−２キーが押下されたか否かを判別することで、例えば、ワンモード入力の「入力モード」による変換または訂正が行われたか否かを判別している。制御部１９は、例えば、Ｆｎ−２キー（例えば、Ｋ１ボタン１５１〜Ｋ８ボタン１５８）のボタンに対応する信号を入力したとき、Ｆｎ−２キーが押下されたと判別し、当該信号を入力しないときＦｎ−２キーが押下されていないと判別できる。
【０１１３】
Ｆｎ−２キーが押下されたとき（Ｓ２２でＹｅｓ）、制御部１９は表示文字に対応する変換後の文字を、Ｆｎ−２キーの各ボタンに割り当てられたテーブル１７１〜１７８から読み出して、ディスプレイ１１に表示させる（図１８のＳ２３）。そして、処理はＳ１１に移行して上述の処理を繰り返す。
【０１１４】
一方、Ｆｎ−２キーが押下されないとき（Ｓ２２でＮｏ）、操作キー１５の入力待ちの状態（Ｓ１５）へ移行する。
【０１１５】
また、テンキー１６５が入力されないとき（Ｓ１２でＮｏ）、制御部１９は、従来の文字入力の動作を行う（Ｓ３０）。例えば、絵文字の入力などの場合は、制御部１９は、従来の文字入力の動作が行われる。
【０１１６】
そして、文字入力が終了したとき（Ｓ３１でＹｅｓ）、制御部１９は一連の処理を終了し（Ｓ３２）、文字入力が終了しないとき（Ｓ３１でＮｏ）、操作キー１５の入力待ちの状態（Ｓ１１）に移行する。
【０１１７】
＜第３の実施の形態＞
次に第３の実施の形態について説明する。第２の実施の形態では初期入力文字は「ひらがな」として説明した。これは、例えば、日本国内で日本人が携帯電話機を使用するとき、初期入力文字として「ひらがな」を利用することがほとんどであると考えられるからである。これに対して、本第３の実施の形態は、初期入力文字が小文字の英字の場合の例である。この場合、初期に表示される文字が、小文字の英字として表示されるだけであって、Ｆｎ−２キーが押下されることでワンモード入力の「入力モード」として表示文字がカタカナに変換されたり、数字に変換されることができる。また、Ｆｎ−１キーが押下されることでワンモード入力の２タッチ入力として、表示文字の母音が変換されたりすることができる。
【０１１８】
図２０は、例えば記憶部１７に記憶される英字（小文字）文字変換テーブル１８０の例を表わす図である。例えば、初期入力文字である英字の「/」はひらがな文字の「う」に対応し、初期入力文字である英字の「ｍ」はひらがな文字の「は」に対応する。
【０１１９】
例えば、ディスプレイ１１において初期入力文字として表示される英字が「/」のとき、［カナ］入力の操作キー（例えばＫ１ボタン１５１）が押下されると、カタカナの「ウ」がディスプレイ１１に表示される。制御部１９は、例えば、英字（小文字）文字変換テーブル１８０から表示された英字に対応するひらがな文字を読み出す。そして、制御部１９は、カナ変換テーブル１７１から読みだしたひらがな文字（「ディスプレイ表示文字」）に対応するカタカナを読み出してディスプレイ１１に表示させることができる。このように制御部１９は、英字（小文字）文字変換テーブル１８０とカナ変換テーブル１７１とから表示文字に対応する変換後の文字をディスプレイ１１に表示させることができる。
【０１２０】
制御部１９は、例えば、他の入力モードについても同様に表示させることができる。例えば、［数字］入力の操作キー（例えばＫ２ボタン１５２）が押下されると、制御部１９は、英字（小文字）文字変換テーブル１８０から表示された英字に対応するひらがな文字を読み出す。そして、制御部１９は、数字変換テーブル１７２からひらがな文字（「ディスプレイ表示文字」）に対応する数字を読み出す。
【０１２１】
［英字］入力、［濁音］入力、［半濁音］入力、［小文字］入力、［他文字（カナ）小文字］入力による変換ついても、制御部１９は、例えば、それぞれ各テーブル１７３〜１７７と英字（小文字）文字変換テーブル１８０から対応する文字を読み出し表示させることができる。
【０１２２】
なお、初期入力文字が小文字の英字の場合、ひらがな変換キーとして、Ｋ８ボタン１５８が割り当てられる。本第３の実施の形態では、第２の実施の形態における［他文字（英字）小文字］入力の機能がなく、例えば、Ｋ８ボタン１５８が押下されても、英字の小文字に変換されるわけではなく、ひらがな文字に変換される。本第３の実施の形態では、記憶部１７には、他文字（英字）小文字変換テーブル１７８に代わり、他文字（漢字／ひらがな）変換テーブル１８１が記憶される。図２１は他文字（漢字／ひらがな）変換テーブル１８１の例を表わす図である。例えば、制御部１９は、ディスプレイ１１に表示された小文字の英字に対して、Ｋ８ボタン１５８が押下された場合、表示文字に対応する変換後の文字を他文字（漢字／ひらがな）変換テーブル１８１から読み出してディスプレイ１１に表示させることができる。ひらがな変換の場合では、英字（小文字）文字変換テーブル１８０が用いられず、他文字（漢字／ひらがな）変換テーブル１８１が用いられる。
【０１２３】
次に、初期入力文字が小文字の英字の場合において、ワンモード入力の２タッチ入力の例について説明する。図２２は、記憶部１７に記憶された英字２タッチ文字変換テーブル１８２の例を表わす図である。本第３の実施の形態におけるワンモード入力の２タッチ入力は、例えばこの英字２タッチ文字変換テーブル１８２が用いられる。例えば、［さ］ボタンが１回押下されるとディスプレイ１１には「d」が表示される。そして、母音の「う」を意味するキー（例えばＫ１１ボタン１６１）が押下されると、ディスプレイ１１には「f」が表示され、母音の「お」を意味するキー（例えばＫ１３ボタン１６３）が押下されると「e」が表示される。例えば、制御部１９は、押下されたテンキー１６５により表示された小文字の英字と、Ｆｎ−１キー操作に対応する母音とを英字２タッチ文字変換テーブル１８２から読み出して、ディスプレイ１１に表示させることができる。
【０１２４】
初期入力文字が英字の小文字の場合でも、最初に表示される文字が英字の小文字であって、本第３の実施の形態における本携帯電話機１０も、図１５（Ａ）〜図１８に表わされる操作や動作など行うことができる。従って、本第３の実施の形態においても、訂正文字の入力までのタッチ数は、Ｆｎ−２キー又はＦｎ−１キーによる操作の１回であり、従来の［ＣＬＲ］ボタンの２回操作による場合と比較して、少ないタッチ数で文字を入力することができる。
【０１２５】
［第４の実施の形態］
次に第４の実施の形態について説明する。第４の実施の形態は、操作キー１５がタッチパネル方式の場合の例である。例えば、携帯電話機１０として多機能携帯電話機や電子書籍を表示することのできる端末などが該当する。図２３は第４の実施の形態における携帯電話機１０の構成例、図２４はタッチパネル部１５０に表示される画面の例、図２５（Ａ）及び図２５（Ｂ）はタッチパネルの動作例、図２６及び図２７は記憶部１７に保持されたテーブルの例をそれぞれ表わしている。
【０１２６】
本第４の実施の形態における携帯電話機１０は、更に、タッチパネル部１５０と電圧・アナログ値変換部１９０を備える。タッチパネル部１５０は、例えば、抵抗膜方式によるタッチパネルであって、例えば図２４に表わされるように操作キー１５に対応する表示が液晶画面として表示される。
【０１２７】
タッチパネル部１５０は、図２５（Ａ）及び図２５（Ｂ）に表わされるように、フィルム１５０−１と、第１の透明導電膜（例えば金属薄膜）１５０−２と、第２の透明導電膜１５０−３と、ガラス１５０−４と、ドットスペーサ（または絶縁体）１５０−５とを備える。例えば、第１の透明導電膜１５０−２は電極に接続されて一定電圧がかけられており、ユーザがタッチパネル部１５０を押下すると、第１の透明導電膜１５０−２が第２の透明導電膜１５０−３に接触し、第２の透明導電膜１５０−３において位置に応じた電圧が発生する。図２５（Ｂ）の例では、第２の透明導電膜１５０−３の縦横の位置（Ｆ，３）に応じた電圧が発生する。例えば、位置（Ｆ，３）と異なる位置が押下されたときは、位置（Ｆ，３）に応じた電圧とは異なる電圧が発生する。位置（Ｆ，３）において複数回押下されたときは、例えば、位置（Ｆ，３）に応じた電圧が複数回発生する。
【０１２８】
当該電圧は、電圧・アナログ値変換部１９０に出力され、電圧・アナログ値変換部１９０は、入力電圧をアナログ値に変換して制御部１９に出力する。制御部１９は、アナログ値に対して、対比テーブル１８５から縦横マトリックス値を読み出し、さらに対比テーブル１８５から入力内容を獲得する。
【０１２９】
図２６は対比テーブル１８５の例を表わす図である。対比テーブル１８５は例えば記憶部１７に記憶される。対比テーブル１８５における「入力内容」は、例えば、第２の実施の形態における操作キー１５に割り当てられた機能と同一である。テンキー１６５に対応する入力内容もあるし、ワンモード入力の「入力モード」に対応する入力内容（「カナ」入力、「数字」入力、「英字」入力、「濁音」入力、「半濁音」入力、「小文字」入力、「他文字（カナ）小文字」入力、「他文字（英字）小文字」入力）もある。さらに、母音を意味する入力内容（母音「あ」、母音「い」、母音「う」、母音「え」、母音「お」）もあり、［確定］キーに対応する入力内容（確定ボタン）もある。  
【０１３０】
図２７は、記憶部１７に記憶されたタッチパネル方式におけるカナ変換テーブル１８６の例を表わす図である。タッチパネル方式のカナ変換テーブル１８６には、制御部１９により対比テーブル１８５から獲得された縦横マトリックス値と、押下回数（又はタッチ回数）とがさらに記憶される。タッチパネル部１５０において同一位置が複数回押下されたとき、制御部１９は、押下された回数分のアナログ値を電圧・アナログ値変換部１９０から入力する。そのため、制御部１９は、例えば、この回数を押下回数としてカナ変換テーブル１８６から対応するカタカナを読み出すことができる。なお、この押下回数は、第２及び第３の実施の形態における各テーブル１７１〜１８２に含まれても良い。
【０１３１】
例えば、図２７のカナ変換テーブル１８６に表わされるように、ディスプレイ表示文字から変換後の文字への変換については、タッチパネル部１５０においてＫ１ボタン１５１が押下されることにより行われる。第２及び第３の実施の形態では操作キー１５が押下されることで文字の変換などが行われたが、本第４の実施の形態では、タッチパネル部１５０における各ボタンに対応する位置または領域が押下されることで文字の変換が行われる。制御部１９は、例えば、縦横マトリクス値により、タッチパネル部１５０においてどのボタンが押下されたかを確認することができる。その後のワンモード入力における「入力モード」や、ワンモード入力における「２タッチ方式」などは第２及び第３の実施の形態と同様に実施することができる。
【０１３２】
本第４の実施の形態における携帯電話機１０も、図１５（Ａ）〜図１８に表わされる操作や動作など行うことができる。従って、本第４の実施の形態においても、訂正文字の入力までのタッチ数は、Ｆｎ−２キー又はＦｎ−１キーの押下に対応するタッチ操作の１回であり、従来の［ＣＬＲ］ボタンの２回操作による場合と比較して、少ないタッチ数で文字を入力することができる。
【０１３３】
＜その他の実施の形態＞
次にその他の実施の形態について説明する。第２及び第３の実施の形態において、Ｆｎ−２キーとして、［カナ］入力用の操作ボタンはＫ１ボタン１５１、［数字］入力用の操作ボタンはＫ２ボタン１５２、［英字］入力用の操作ボタンはＫ３ボタン１５３、［濁音］入力用の操作ボタンはＫ４ボタン１５４を例にして説明した。さらに、［半濁音］入力用の操作ボタンはＫ５ボタン１５５、［小文字］入力用の操作ボタンはＫ６ボタン１５６、［他文字（カナ）小文字］入力用の操作ボタンはＫ７ボタン１５７、［他文字（英字）小文字］入力用の操作ボタンはＫ８ボタン１５８を例にして説明した。また、Ｆｎ−１キーとして、母音の［あ］を意味するキーはＫ９ボタン１５９、母音の［い］を意味するキーはＫ１０ボタン１６０、母音の［う］を意味するキーはＫ１１ボタン１６１として説明した。さらに、母音の［え］を意味するキーはＫ１２ボタン１６２、母音の［お］を意味するキーはＫ１３ボタン１６３として説明した。
【０１３４】
例えば、Ｆｎ−２キーとＦｎ−１キーに対応する操作ボタンの割り当ては一例であって、テンキー１６５と電源ボタン（例えばＫ１４ボタン１６４）以外であって、Ｆｎ−２キーとＦｎ−１キーの各ボタンが互いに重複しなければどのような操作ボタンに割り当てられてもよい。
【０１３５】
例えば、［カナ］入力用の操作ボタンはＫ２ボタン１５２、［数字］入力用の操作ボタンはＫ３ボタン１５３などと割り当てることもできる。また、母音の［あ］を意味するキーはＫ１３ボタン１６３、母音の［い］を意味するキーはＫ１０ボタン１６０などとすることもできる。
【０１３６】
さらに、これらの割り当てに関して、例えば、Ｋ１ボタン１５１を長押しすることによって、［カナ］入力用の操作ボタンから、［数字］入力用の操作ボタンとしてその機能をサイクリックに変更することもできる。変更後は、Ｋ２ボタン１５２が［数字］入力用の操作ボタン、Ｋ３ボタン１５３が［英字］入力用の操作ボタンなど、順次その機能が繰り上げられてボタンに対する割り当てが行われる。順次繰り下がるように割り当てが変更されてもよい。さらに、長押しすると、さらに順次その機能が繰り上げられて割り当てが行われるようになされてもよい。Ｆｎ−２キーの長押しのみならず、Ｆｎ−１キーの長押しでも各ボタンに割り当てられた機能が順次繰り上げるようにしたり、繰り下げるようにすることもできる。
【０１３７】
例えば、制御部１９は操作キー１５の各ボタンに対応する信号を連続して一定期間入力したとき、当該ボタンに対応する機能を［数字］入力用から［英字］入力に順次繰り上げるように割り当てを変更し、変更した割り当てに応じて参照するテーブル１７１〜１８２を変更する。また、制御部１９は、Ｆｎ−１キーが押下されたことを表わす信号を連続して一定期間入力したとき、割り当てを順次繰り上げて又は繰り下げてその機能を変更し、その割り当てを例えば記憶部１９に保持し、以降は記憶部１９に保持した割り当て情報から処理を行う。これにより、例えば、制御部１９は割り当て変更後の操作ボタンに対応する文字をディスプレイ１１に表示させることができる。
【０１３８】
次に携帯電話機１０の他の構成例について説明する。図１８（Ａ）は操作キー１５を備える携帯電話機１０の構成例、図１８（Ｂ）はタッチパネル部１５０を備える携帯電話機１０の構成例をそれぞれ表わしている。いずれの携帯電話機１０も、さらに、ＣＰＵ１９５とＲＡＭ１９６とを備える。ＣＰＵ１９５は、例えば、第２から第４の実施の形態における制御部１９に対応する。また、ＲＡＭ１９６は、例えば第２から第４の実施の形態における記憶部１７に対応する。
【０１３９】
ＣＰＵ１９５は、例えば、操作キー１５の各ボタンに対応する信号を入力するとＲＡＭ１９６に記憶された各テーブル１７１〜１８２から対応する変換後の文字を読み出してディスプレイ１１に表示させることができる。また、ＣＰＵ１９５は、例えば、タッチパネル部１５０から操作位置に対応する電圧に対応するアナログ値とその入力回数、及び表示文字とから、対応する変換後の文字をＲＡＭ１９６に記憶された各テーブル１７１〜１８２から読み出してディスプレイ１１に表示させることができる。
【符号の説明】
【０１４０】
１０：携帯電話機                      １１：ディスプレイ
１２：操作部                          １３：ヒンジ部
１５：操作キー                        １５０：タッチパネル部
１５１〜１６４：Ｋ１ボタン〜Ｋ１４ボタン  
１６５：テンキー                      １７：記憶部
１７１：カナ変換テーブル              １７２：数字変換テーブル
１７３：英字変換テーブル              １７４：濁音変換テーブル
１７５：半濁音変換テーブル            １７６：小文字変換テーブル
１７７：他文字（カナ）小文字変換テーブル
１７８：他文字（英字）小文字変換テーブル
１７９：２タッチ変換テーブル          １８０：英字（小文字）文字変換テーブル
１８１：他文字（漢字／ひらがな）変換テーブル
１８２：英字２タッチ文字変換テーブル  １８５：対比テーブル
１８６：カナ変換テーブル              １９０：電圧・アナログ値変換部
１９５：ＣＰＵ                        １９６：ＲＡＭ
【図１】
2012247999.tif 000003
【図２】
2012247999.tif 000004
【図３】
2012247999.tif 000005
【図４】
2012247999.tif 000006
【図５】
2012247999.tif 000007
【図６】
2012247999.tif 000008
【図７】
2012247999.tif 000009
【図８】
2012247999.tif 000010
【図９】
2012247999.tif 000011
【図１０】
2012247999.tif 000012
【図１１】
2012247999.tif 000013
【図１２】
2012247999.tif 000014
【図１３】
2012247999.tif 000015
【図１４】
2012247999.tif 000016
【図１５】
2012247999.tif 000017
【図１６】
2012247999.tif 000018
【図１７】
2012247999.tif 000019
【図１８】
2012247999.tif 000020
【図１９】
2012247999.tif 000021
【図２０】
2012247999.tif 000022
【図２１】
2012247999.tif 000023
【図２２】
2012247999.tif 000024
【図２３】
2012247999.tif 000025
【図２４】
2012247999.tif 000026
【図２５】
2012247999.tif 000027
【図２６】
2012247999.tif 000028
【図２７】
2012247999.tif 000029
【図２８】
2012247999.tif 000030
【図２９】
2012247999.tif 000031